【手続補正書】
【提出日】平成28年4月19日(2016.4.19)
【手続補正１】
【補正対象書類名】特許請求の範囲
【補正対象項目名】全文
【補正方法】変更
【補正の内容】
【特許請求の範囲】
【請求項１】
ワイヤレス・デバイスを管理する方法であって、
ワイヤレス・ワイド・エリア・ネットワーク・インターフェース経由で前記ワイヤレス・デバイスのためのロケーション情報のセットを受信することと、
前記ロケーション情報のセットを使用してワイヤレス・ローカル・エリア・ネットワーク・インターフェース経由で前記ワイヤレス・デバイスの接続範囲内のアクセス・ポイントのセットを識別することと、
前記ワイヤレス・ワイド・エリア・ネットワーク・インターフェース経由で前記アクセス・ポイントのセットに関連付けられたアクセス・ポイント情報のセットを前記ワイヤレス・デバイスに送信することと、
前記ワイヤレス・デバイスに関連付けられた局情報のセットを前記ワイヤレス・デバイスの接続範囲内および前記アクセス・ポイントのセットにおける、前記ワイヤレス・デバイスによって識別された少なくとも１つのアクセス・ポイントに送信することと、
前記アクセス・ポイント情報のセットおよび前記局情報のセットに基づいて、前記少なくとも１つのアクセス・ポイント経由で前記ワイヤレス・ワイド・エリア・ネットワーク・インターフェースから前記ワイヤレス・ローカル・エリア・ネットワーク・インターフェースへの前記ワイヤレス・デバイスのハンドオフを開始することと
を備える、方法。
【請求項２】
前記局情報のセットは、前記ワイヤレス・デバイスに関連付けられた局（ＳＴＡ）情報を備え、
特に、前記局（ＳＴＡ）情報は、前記ワイヤレス・デバイスに関連付けられた媒体アクセス制御（ＭＡＣ）情報、前記ワイヤレス・デバイスに関連付けられたキー情報、または前記ワイヤレス・デバイスに関連付けられたインターネット・プロトコル（ＩＰ）アドレス情報のうちの少なくとも１つを備える、請求項１に記載の方法。
【請求項３】
前記アクセス・ポイント情報のセットは、前記少なくとも１つのアクセス・ポイントに関連付けられた媒体アクセス制御（ＭＡＣ）情報、前記少なくとも１つのアクセス・ポイントに関連付けられたチャネル情報のセット、前記少なくとも１つのアクセス・ポイントに関連付けられたサービス・セット識別（ＳＳＩＤ）情報のセット、または前記少なくとも１つのアクセス・ポイントを通したデータ・リンク・アクセスのためのコスト情報のうちの少なくとも１つを備える、請求項１に記載の方法、または、
セキュリティ・キー情報のセットを前記ワイヤレス・デバイスおよび前記少なくとも１つのアクセス・ポイントに送信することをさらに備え、
特に、前記セキュリティ・キー情報のセットに基づいて前記ワイヤレス・デバイスと前記少なくとも１つのアクセス・ポイントとの間の高速認証プロセスを開始することをさらに備える、請求項１に記載の方法、または、
前記ロケーション情報のセットは、全地球測位システム（ＧＰＳ）データ、基地局パイロット・データ、地理的セル識別子データ、セルラ・ネットワーク・データ、ドップラー効果データ、または信号強度データを経由して取り込まれたロケーション情報のうちの少なくとも１つを備える、請求項１に記載の方法、または、
前記ロケーション情報のセットを受信すること、アクセス・ポイント情報のセットを送信すること、または前記局情報のセットを送信することのうちの少なくとも１つは、前記ワイヤレス・デバイスとの安全な伝送リンクを通じて送信を開始することを備える、請求項１に記載の方法。
【請求項４】
システムであって、
ワイヤレス・デバイス手段へのワイヤレス・ワイド・エリア・ネットワーク・インターフェースのための手段と、
前記ワイヤレス・デバイス手段へのワイヤレス・ローカル・エリア・ネットワーク・インターフェースのための手段と、
前記ワイヤレス・ワイド・エリア・ネットワーク・インターフェースのための手段および前記ワイヤレス・ローカル・エリア・ネットワーク・インターフェースのための手段のうちの少なくとも１つを経由して前記ワイヤレス・デバイス手段と通信するプロセッサ手段とを備え、前記プロセッサ手段は、
前記ワイヤレス・ワイド・エリア・ネットワーク・インターフェースのための手段を経由して前記ワイヤレス・デバイス手段のためのロケーション情報のセットを受信し、
前記ロケーション情報のセットを使用して前記ワイヤレス・ローカル・エリア・ネットワーク・インターフェースのための手段を経由して前記ワイヤレス・デバイス手段の接続範囲内のアクセス・ポイント手段のセットを識別し、
前記ワイヤレス・ワイド・エリア・ネットワーク・インターフェースのための手段を経由して前記アクセス・ポイント手段のセットに関連付けられたアクセス・ポイント情報のセットを前記ワイヤレス・デバイス手段に送信し、
前記ワイヤレス・デバイス手段に関連付けられた局情報のセットを前記ワイヤレス・デバイス手段の接続範囲内および前記アクセス・ポイント手段のセットにおける、前記ワイヤレス・デバイスによって識別された、少なくとも１つのアクセス・ポイント手段に送信し、
前記アクセス・ポイント情報のセットおよび前記局情報のセットに基づいて、前記少なくとも１つのアクセス・ポイント手段を経由して前記ワイヤレス・ワイド・エリア・ネットワーク・インターフェースのための手段から前記ワイヤレス・ローカル・エリア・ネットワーク・インターフェースのための手段への前記ワイヤレス・デバイス手段のハンドオフを開始するように構成される、システム。
【請求項５】
前記局情報のセットは、前記ワイヤレス・デバイスに関連付けられた局（ＳＴＡ）情報を備え、
特に、前記ワイヤレス・デバイスに関連付けられた前記局（ＳＴＡ）情報は、前記ワイヤレス・デバイス手段に関連付けられた媒体アクセス制御（ＭＡＣ）情報、前記ワイヤレス・デバイス手段に関連付けられたキー情報、または前記ワイヤレス・デバイス手段に関連付けられたインターネット・プロトコル（ＩＰ）アドレス情報のうちの少なくとも１つを備える、請求項４に記載のシステム。
【請求項６】
前記アクセス・ポイント情報のセットは、前記少なくとも１つのアクセス・ポイント手段に関連付けられた媒体アクセス制御（ＭＡＣ）情報、前記少なくとも１つのアクセス・ポイント手段に関連付けられたチャネル情報のセット、前記少なくとも１つのアクセス・ポイント手段に関連付けられたサービス・セット識別（ＳＳＩＤ）情報のセット、または前記少なくとも１つのアクセス・ポイント手段を通したデータ・リンク・アクセスのためのコスト情報のうちの少なくとも１つを備える、請求項４に記載のシステム、または、
前記プロセッサ手段は、セキュリティ・キー情報のセットを前記ワイヤレス・デバイス手段および前記少なくとも１つのアクセス・ポイント手段に送信するようにさらに構成され、
特に、前記プロセッサ手段は、前記セキュリティ・キー情報のセットに基づいて前記ワイヤレス・デバイス手段と前記少なくとも１つのアクセス・ポイント手段との間の高速認証プロセスを開始するようにさらに構成される、請求項４に記載のシステム、または、
前記ロケーション情報のセットは、全地球測位システム（ＧＰＳ）データ、基地局パイロット・データ、地理的セル識別子データ、セルラ・ネットワーク・データ、ドップラー効果データ、または信号強度データを経由して取り込まれたロケーション情報のうちの少なくとも１つを備える、請求項４に記載のシステム、または、
前記ロケーション情報のセットを受信すること、アクセス・ポイント情報のセットを送信すること、または前記局情報のセットを送信することのうちの少なくとも１つは、前記ワイヤレス・デバイスとの安全な伝送リンクを通じて送信を開始することを備える、請求項４に記載の方法。
【請求項７】
ワイヤレス・デバイス上のデータ接続を構成する方法であって、
ワイヤレス・ワイド・エリア・ネットワーク・インターフェース経由で前記ワイヤレス・デバイスのためのロケーション情報のセットをワイヤレス・ハンドオフ・ゲートウェイに送信することと、
ワイヤレス・ローカル・エリア・ネットワーク経由で前記ワイヤレス・デバイスの接続範囲内のアクセス・ポイントのセットに関連付けられたアクセス・ポイント情報のセットを、前記ワイヤレス・ハンドオフ・ゲートウェイから前記ワイヤレス・デバイスにおいて、受信することと、
前記ワイヤレス・デバイスに関連付けられた局情報のセットを前記ワイヤレス・ハンドオフ・ゲートウェイに送信することと、
前記ワイヤレス・ローカル・エリア・ネットワーク経由で前記ワイヤレス・デバイスのためのデータ接続を確立するために前記アクセス・ポイントのセットにおける少なくとも１つのアクセス・ポイントを、前記ワイヤレス・デバイスによって識別することと、
前記アクセス・ポイントのセットにおける前記少なくとも１つのアクセス・ポイント経由で前記ワイヤレス・デバイスの前記データ接続を前記ワイヤレス・ワイド・エリア・ネットワーク・インターフェースから前記ワイヤレス・ローカル・エリア・ネットワーク・インターフェースに遷移することと
を備える、方法。
【請求項８】
前記ロケーション情報のセットを前記送信することは、前記ロケーション情報のセットを所定の間隔で送信すること、またはイベント・トリガ・ベースで前記ロケーション情報のセットを送信することのうちの少なくとも１つを備える、請求項７に記載の方法、または、
前記ロケーション情報のセットは、全地球測位システム（ＧＰＳ）データ、基地局パイロット・データ、地理的セル識別子データ、セルラ・ネットワーク・データ、ドップラー効果データ、または信号強度データを経由して取り込まれたロケーション情報のうちの少なくとも１つを備える、請求項７に記載の方法、または、
前記データ接続を前記遷移することは、前記アクセス・ポイント情報のセットおよび前記局情報のセットに基づいて前記少なくとも１つのアクセス・ポイントとの認証プロセスを実行することを備える、請求項７に記載の方法、または、
前記認証プロセスは、高速認証プロセスを備え、
特に、前記高速認証プロセスは、Ｏｔｗａｙ Ｒｅｅｓプロトコルまたは拡張認証プロトコル再認証（ＥＲＰ）プロトコルのうちの少なくとも１つを備える、請求項７に記載の方法。
【請求項９】
前記データ接続を前記遷移することは、前記少なくとも１つのアクセス・ポイントとの関連付けプロセスを実行することを備え、
特に、前記関連付けプロセスは、アクティブ／パッシブ・スキャン・プロセスを備える、請求項７に記載の方法。
【請求項１０】
ワイヤレス・デバイスであって、
ワイヤレス・ワイド・エリア・ネットワークへの第１のインターフェース手段と、
ワイヤレス・ローカル・エリア・ネットワークへの第２のインターフェース手段と、
前記第１のインターフェース手段および前記第２のインターフェース手段と通信するプロセッサ手段と、を備え、前記プロセッサ手段は、
ワイヤレス・ワイド・エリア・ネットワーク・インターフェース経由で前記ワイヤレス・デバイスのためのロケーション情報のセットをワイヤレス・ハンドオフ・ゲートウェイに送信し、
前記ワイヤレス・ローカル・エリア・ネットワーク経由で前記ワイヤレス・デバイスの接続範囲内のアクセス・ポイントのセットに関連付けられたアクセス・ポイント情報のセットを、前記ワイヤレス・ハンドオフ・ゲートウェイから前記ワイヤレス・デバイスにおいて、受信し、
前記ワイヤレス・デバイスに関連付けられた局情報のセットを前記ワイヤレス・ハンドオフ・ゲートウェイに送信し、
前記ワイヤレス・ローカル・エリア・ネットワーク経由で前記ワイヤレス・デバイスのためのデータ接続を確立するために前記アクセス・ポイントのセットにおける少なくとも１つのアクセス・ポイントを識別し、
前記アクセス・ポイントのセットにおける前記少なくとも１つのアクセス・ポイント経由で前記ワイヤレス・デバイスの前記データ接続を前記ワイヤレス・ワイド・エリア・ネットワーク・インターフェースから前記ワイヤレス・ローカル・エリア・ネットワーク・インターフェースに遷移するように構成される、ワイヤレス・デバイス。
【請求項１１】
前記ロケーション情報のセットを前記送信することは、前記ロケーション情報のセットを所定の間隔で送信すること、またはイベント・トリガ・ベースで前記ロケーション情報のセットを送信することのうちの少なくとも１つを備える、請求項１０に記載のシステム、または、
前記ロケーション情報のセットは、全地球測位システム（ＧＰＳ）データ、基地局パイロット・データ、地理的セル識別子データ、セルラ・ネットワーク・データ、ドップラー効果データ、または信号強度データを経由して取り込まれたロケーション情報のうちの少なくとも１つを備える、請求項１０に記載のシステム、または、
前記データ接続を前記遷移することは、前記アクセス・ポイント情報のセットおよび前記局情報のセットに基づいて前記少なくとも１つのアクセス・ポイントとの認証プロセスを実行することを備える、請求項１０に記載のシステム、または、
前記認証プロセスは、高速認証プロセスを備え、
特に、前記高速認証プロセスは、Ｏｔｗａｙ Ｒｅｅｓプロトコルまたは拡張認証プロトコル再認証（ＥＲＰ）プロトコルのうちの少なくとも１つを備える、請求項１０に記載のシステム、または、
前記データ接続を前記遷移することは、前記少なくとも１つのアクセス・ポイントとの関連付けプロセスを実行することを備え、
特に、前記関連付けプロセスは、アクティブ／パッシブ・スキャン・プロセスを備える、請求項１０に記載のシステム。
【請求項１２】
ワイヤレス・デバイスとアクセス・ポイントを関連付ける方法であって、
アクセス・ポイント情報のセットを、前記アクセス・ポイントからワイヤレス・ハンドオフ・ゲートウェイに送信することと、
ワイヤレス・ワイド・エリア・ネットワーク・インターフェース経由で前記ワイヤレス・デバイスのためのロケーション情報のセットを、前記ワイヤレス・ハンドオフ・ゲートウェイから、受信することと、
前記アクセス・ポイントに関連付けられたアクセス・ポイント情報のセットを前記ワイヤレス・ハンドオフ・ゲートウェイに送信することと、
前記アクセス・ポイントにおける前記ワイヤレス・デバイスに関連付けられた局情報のセットを、前記ワイヤレス・ハンドオフ・ゲートウェイ経由で、受信することと、
前記アクセス・ポイント情報のセットおよび前記局情報のセットに基づいて前記ワイヤレス・ローカル・エリア・ネットワーク経由で前記ワイヤレス・デバイスとのデータ接続を、前記アクセス・ポイントで、確立することと
を備える、方法。
【請求項１３】
前記ワイヤレス・ハンドオフ・ゲートウェイ経由で前記ワイヤレス・デバイスのためのロケーション情報のセットを受信することをさらに備える、請求項１２に記載の方法、または、
前記局情報のセットを前記受信することは、前記ロケーション情報のセットに基づいて、前記ワイヤレス・デバイスが前記アクセス・ポイントの範囲に接近している、または範囲内にある場合、前記局情報のセットを受信することを備える、請求項１２に記載の方法、または、
データ接続を前記確立することは、前記局情報のセットに基づいて前記アクセス・ポイントとの認証プロセスを実行することを備え、
特に、前記認証プロセスは、高速認証プロセスを備え、
さらに特に、前記高速認証プロセスは、Ｏｔｗａｙ Ｒｅｅｓプロトコルまたは拡張認証プロトコル再認証（ＥＲＰ）プロトコルのうちの少なくとも１つを備える、請求項１２に記載の方法、または、
前記データ接続を前記確立することは、少なくとも１つの前記アクセス・ポイントとの関連付けプロセスを実行することを備え、
特に、前記関連付けプロセスは、アクティブ／パッシブ・スキャン・プロセスを備える、請求項１２に記載の方法。
【請求項１４】
アクセス・ポイント・デバイスであって、
ワイヤレス・ワイド・エリア・ネットワークへの第１のインターフェース手段と、
ワイヤレス・ローカル・エリア・ネットワークへの第２のインターフェース手段と、
前記第１のインターフェース手段および前記第２のインターフェース手段と通信するプロセッサ手段を備え、前記プロセッサ手段は、
アクセス・ポイント情報のセットを、前記アクセス・ポイントからワイヤレス・ハンドオフ・ゲートウェイに送信し、
前記第１のインターフェース経由で前記ワイヤレス・デバイスのためのロケーション情報のセットを、前記ワイヤレス・ハンドオフ・ゲートウェイから、受信し、
前記アクセス・ポイントに関連付けられたアクセス・ポイント情報のセットを前記ワイヤレス・ハンドオフ・ゲートウェイに送信し、
前記ワイヤレス・デバイスに関連付けられた局情報のセットを、前記ワイヤレス・ハンドオフ・ゲートウェイ経由で、受信し、
前記アクセス・ポイント情報のセットおよび前記局情報のセットに基づいて前記ワイヤレス・ローカル・エリア・ネットワーク経由で前記ワイヤレス・デバイスとのデータ接続を確立するように構成される、デバイス。
【請求項１５】
コンピュータ上で実行されたとき、請求項１乃至３、７乃至９、１２または１３のうちのいずれか一項に記載の方法のステップを実行するための命令を備える、コンピュータ可読媒体を備える、コンピュータ・プログラム製品。
【手続補正２】
【補正対象書類名】明細書
【補正対象項目名】００４９
【補正方法】変更
【補正の内容】
【００４９】
[0049]    前述の説明は実例であり、構成および実現における変化が当業者には気付かれ得る（occur）。例えば、単一のワイヤレス・ハンドオフ・ゲートウェイ１１４が１つのワイヤレス・デバイス１０２および１つのローカル・アクセス・ポイントのセット１１６にサービス提供する実施形態が記載されている一方で、実現において、２つ以上のワイヤレス・ハンドオフ・ゲートウェイ１１４は、ワイヤレス・デバイス１０２およびローカル・アクセス・ポイントのセット１１６をサポートし得る。反対に、実現において、１つ、２つ、またはそれ以上のワイヤレス・ハンドオフ・ゲートウェイ１１４は、２つ以上のワイヤレス・デバイス１０２、および／または２つ以上の別個のローカル・アクセス・ポイントのセット１１６と通信し、サポートし得る。同様に、ワイヤレス・ローカル・エリア・ネットワーク動作のためにＷｉＦｉＴＭ規格を利用する実現が記載されている一方で、実現において、他のワイヤレス規格またはプロトコルを使用する他のネットワークが、ＷｉＦｉＴＭネットワーク展開に加えて、またはＷｉＦｉＴＭネットワーク展開の代わりに、使用され得る。単数形または統合されたものとして記載された他のリソースは、実施形態では、複数形であり、または分散され得、複数または分散されたものとして記載されたリソースは、実施形態では、組み合わせられ得る。本教示の範囲は、それに応じて以下の請求項によってのみ制限されるように意図される。
以下に、本願出願の当初の特許請求の範囲に記載された発明を付記する。
［Ｃ１］  ワイヤレス・デバイスを管理する方法であって、
ワイヤレス・ワイド・エリア・ネットワーク・インターフェース経由で前記ワイヤレス・デバイスのためのロケーション情報のセットを受信することと、
前記ロケーション情報のセットを使用してワイヤレス・ローカル・エリア・ネットワーク・インターフェース経由で前記ワイヤレス・デバイスの接続範囲内のアクセス・ポイントのセットを識別することと、
前記ワイヤレス・ワイド・エリア・ネットワーク・インターフェース経由で前記アクセス・ポイントのセットに関連付けられたアクセス・ポイント情報のセットを前記ワイヤレス・デバイスに送信することと、
前記ワイヤレス・デバイスに関連付けられた局情報のセットを前記ワイヤレス・デバイスの接続範囲内の前記アクセス・ポイントのセットにおける少なくとも１つのアクセス・ポイントに送信することと、
前記アクセス・ポイント情報のセットおよび前記局情報のセットに基づいて、前記少なくとも１つのアクセス・ポイント経由で前記ワイヤレス・ワイド・エリア・ネットワーク・インターフェースから前記ワイヤレス・ローカル・エリア・ネットワーク・インターフェースへの前記ワイヤレス・デバイスのハンドオフを開始することと
を備える、方法。
［Ｃ２］  前記ワイヤレス・ワイド・エリア・ネットワーク・インターフェースは、セルラ・ネットワーク・インターフェースを備える、Ｃ１に記載の方法。
［Ｃ３］  前記セルラ・ネットワーク・インターフェースは、第３世代（３Ｇ）ネットワーク、第４世代（４Ｇ）ネットワーク、符号分割多元接続（ＣＤＭＡ）ネットワーク、時分割多元接続（ＴＤＭＡ）ネットワーク、ＷｉＭａｘＴＭネットワーク、またはロング・ターム・エボリューション（ＬＴＥ）ネットワークのうちの少なくとも１つに接続するように構成される、Ｃ２に記載の方法。
［Ｃ４］  前記ワイヤレス・ローカル・エリア・ネットワーク・インターフェースは、ＷｉＦｉＴＭネットワーク・インターフェースを備える、Ｃ１に記載の方法。
［Ｃ５］  前記ワイヤレス・デバイスは、セルラ電話、スマート・フォン、ポータブル・コンピュータ、タブレット・デバイス、メディア・プレイヤー・デバイス、全地球測位システム（ＧＰＳ）デバイス、または携帯情報端末（ＰＤＡ）デバイスのうちの少なくとも１つを備える、Ｃ１に記載の方法。
［Ｃ６］  前記局情報のセットは、前記ワイヤレス・デバイスに関連付けられた局（ＳＴＡ）情報を備える、Ｃ１に記載の方法。
［Ｃ７］  前記局（ＳＴＡ）情報は、前記ワイヤレス・デバイスに関連付けられた媒体アクセス制御（ＭＡＣ）情報、前記ワイヤレス・デバイスに関連付けられたキー情報、または前記ワイヤレス・デバイスに関連付けられたインターネット・プロトコル（ＩＰ）アドレス情報のうちの少なくとも１つを備える、Ｃ６に記載の方法。
［Ｃ８］  前記アクセス・ポイント情報のセットは、前記少なくとも１つのアクセス・ポイントに関連付けられた媒体アクセス制御（ＭＡＣ）情報、前記少なくとも１つのアクセス・ポイントに関連付けられたチャネル情報のセット、前記少なくとも１つのアクセス・ポイントに関連付けられたサービス・セット識別（ＳＳＩＤ）情報のセット、または前記少なくとも１つのアクセス・ポイントを通したデータ・リンク・アクセスのためのコスト情報のうちの少なくとも１つを備える、Ｃ１に記載の方法。
［Ｃ９］  セキュリティ・キー情報のセットを前記ワイヤレス・デバイスおよび前記少なくとも１つのアクセス・ポイントに送信することをさらに備える、Ｃ１に記載の方法。
［Ｃ１０］  前記セキュリティ・キー情報のセットに基づいて前記ワイヤレス・デバイスと前記少なくとも１つのアクセス・ポイントとの間の高速認証プロセスを開始することをさらに備える、Ｃ９に記載の方法。
［Ｃ１１］  前記ロケーション情報のセットは、全地球測位システム（ＧＰＳ）データ、基地局パイロット・データ、地理的セル識別子データ、セルラ・ネットワーク・データ、ドップラー効果データ、または信号強度データを経由して取り込まれたロケーション情報のうちの少なくとも１つを備える、Ｃ１に記載の方法。
［Ｃ１２］  前記ロケーション情報のセットを受信すること、アクセス・ポイント情報のセットを送信すること、または前記局情報のセットを送信することのうちの少なくとも１つは、前記ワイヤレス・デバイスとの安全な伝送リンクを通じて送信を開始することを備える、Ｃ１に記載の方法。
［Ｃ１３］  システムであって、
ワイヤレス・デバイスへのワイヤレス・ワイド・エリア・ネットワーク・インターフェースと、
前記ワイヤレス・デバイスへのワイヤレス・ローカル・エリア・ネットワーク・インターフェースと、
前記ワイヤレス・ワイド・エリア・ネットワーク・インターフェースおよび前記ワイヤレス・ローカル・エリア・ネットワーク・インターフェースのうちの少なくとも１つを経由して前記ワイヤレス・デバイスと通信するプロセッサとを備え、前記プロセッサは、
前記ワイヤレス・ワイド・エリア・ネットワーク・インターフェース経由で前記ワイヤレス・デバイスのためのロケーション情報のセットを受信し、
前記ロケーション情報のセットを使用して前記ワイヤレス・ローカル・エリア・ネットワーク・インターフェース経由で前記ワイヤレス・デバイスの接続範囲内のアクセス・ポイントのセットを識別し、
前記ワイヤレス・ワイド・エリア・ネットワーク・インターフェース経由で前記アクセス・ポイントのセットに関連付けられたアクセス・ポイント情報のセットを前記ワイヤレス・デバイスに送信し、
前記ワイヤレス・デバイスに関連付けられた局情報のセットを前記ワイヤレス・デバイスの接続範囲内の前記アクセス・ポイントのセットにおける少なくとも１つのアクセス・ポイントに送信し、
前記アクセス・ポイント情報のセットおよび前記局情報のセットに基づいて、前記少なくとも１つのアクセス・ポイント経由で前記ワイヤレス・ワイド・エリア・ネットワーク・インターフェースから前記ワイヤレス・ローカル・エリア・ネットワーク・インターフェースへの前記ワイヤレス・デバイスのハンドオフを開始するように構成される、システム。
［Ｃ１４］  前記ワイヤレス・ワイド・エリア・ネットワーク・インターフェースは、セルラ・ネットワーク・インターフェースを備える、Ｃ１３に記載のシステム。
［Ｃ１５］  前記セルラ・ネットワーク・インターフェースは、第３世代（３Ｇ）ネットワーク、第４世代（４Ｇ）ネットワーク、符号分割多元接続（ＣＤＭＡ）ネットワーク、時分割多元接続（ＴＤＭＡ）ネットワーク、またはロング・ターム・エボリューション（ＬＴＥ）ネットワークのうちの少なくとも１つに接続する、Ｃ１４に記載のシステム。
［Ｃ１６］  前記ワイヤレス・ローカル・エリア・ネットワーク・インターフェースは、ＷｉＦｉＴＭネットワーク・インターフェースを備える、Ｃ１３に記載のシステム。
［Ｃ１７］  前記ワイヤレス・デバイスは、セルラ電話、スマート・フォン、ポータブル・コンピュータ、タブレット・デバイス、メディア・プレイヤー・デバイス、全地球測位システム（ＧＰＳ）デバイス、または携帯情報端末（ＰＤＡ）デバイスのうちの少なくとも１つを備える、Ｃ１３に記載のシステム。
［Ｃ１８］  前記局情報のセットは、前記ワイヤレス・デバイスに関連付けられた局（ＳＴＡ）情報を備える、Ｃ１３に記載のシステム。
［Ｃ１９］  前記局（ＳＴＡ）情報は、前記ワイヤレス・デバイスに関連付けられた媒体アクセス制御（ＭＡＣ）情報、前記ワイヤレス・デバイスに関連付けられたキー情報、または前記ワイヤレス・デバイスに関連付けられたインターネット・プロトコル（ＩＰ）アドレス情報のうちの少なくとも１つを備える、Ｃ１８に記載のシステム。
［Ｃ２０］  前記アクセス・ポイント情報のセットは、前記少なくとも１つのアクセス・ポイントに関連付けられた媒体アクセス制御（ＭＡＣ）情報、前記少なくとも１つのアクセス・ポイントに関連付けられたチャネル情報のセット、前記少なくとも１つのアクセス・ポイントに関連付けられたサービス・セット識別（ＳＳＩＤ）情報のセット、または前記少なくとも１つのアクセス・ポイントを通したデータ・リンク・アクセスのためのコスト情報のうちの少なくとも１つを備える、Ｃ１３に記載のシステム。
［Ｃ２１］  前記プロセッサは、セキュリティ・キー情報のセットを前記ワイヤレス・デバイスおよび前記少なくとも１つのアクセス・ポイントに送信するようにさらに構成される、Ｃ１３に記載のシステム。
［Ｃ２２］  前記プロセッサは、前記セキュリティ・キー情報のセットに基づいて前記ワイヤレス・デバイスと前記少なくとも１つのアクセス・ポイントとの間の高速認証プロセスを開始するようにさらに構成される、Ｃ２１に記載のシステム。
［Ｃ２３］  前記ロケーション情報のセットは、全地球測位システム（ＧＰＳ）データ、基地局パイロット・データ、地理的セル識別子データ、セルラ・ネットワーク・データ、ドップラー効果データ、または信号強度データを経由して取り込まれたロケーション情報のうちの少なくとも１つを備える、Ｃ１３に記載のシステム。
［Ｃ２４］  前記ロケーション情報のセットを受信すること、アクセス・ポイント情報のセットを送信すること、または前記局情報のセットを送信することのうちの少なくとも１つは、前記ワイヤレス・デバイスとの安全な伝送リンクを通じて送信を開始することを備える、Ｃ１３に記載のシステム。
［Ｃ２５］  システムであって、
ワイヤレス・デバイス手段へのワイヤレス・ワイド・エリア・ネットワーク・インターフェースのための手段と、
前記ワイヤレス・デバイス手段へのワイヤレス・ローカル・エリア・ネットワーク・インターフェースのための手段と、
前記ワイヤレス・ワイド・エリア・ネットワーク・インターフェースのための手段および前記ワイヤレス・ローカル・エリア・ネットワーク・インターフェースのための手段のうちの少なくとも１つを経由して前記ワイヤレス・デバイス手段と通信するプロセッサ手段とを備え、前記プロセッサ手段は、
前記ワイヤレス・ワイド・エリア・ネットワーク・インターフェースのための手段を経由して前記ワイヤレス・デバイス手段のためのロケーション情報のセットを受信し、
前記ロケーション情報のセットを使用して前記ワイヤレス・ローカル・エリア・ネットワーク・インターフェースのための手段を経由して前記ワイヤレス・デバイス手段の接続範囲内のアクセス・ポイント手段のセットを識別し、
前記ワイヤレス・ワイド・エリア・ネットワーク・インターフェースのための手段を経由して前記アクセス・ポイント手段のセットに関連付けられたアクセス・ポイント情報のセットを前記ワイヤレス・デバイス手段に送信し、
前記ワイヤレス・デバイス手段に関連付けられた局情報のセットを前記ワイヤレス・デバイス手段の接続範囲内の前記アクセス・ポイント手段のセットにおける少なくとも１つのアクセス・ポイント手段に送信し、
前記アクセス・ポイント情報のセットおよび前記局情報のセットに基づいて、前記少なくとも１つのアクセス・ポイント手段を経由して前記ワイヤレス・ワイド・エリア・ネットワーク・インターフェースのための手段から前記ワイヤレス・ローカル・エリア・ネットワーク・インターフェースのための手段への前記ワイヤレス・デバイス手段のハンドオフを開始するように構成される、システム。
［Ｃ２６］  前記ワイヤレス・ワイド・エリア・ネットワーク・インターフェースのための手段は、セルラ・ネットワーク・インターフェースのための手段を備える、Ｃ２５に記載のシステム。
［Ｃ２７］  前記セルラ・ネットワーク・インターフェースのための手段は、第３世代（３Ｇ）ネットワーク、第４世代（４Ｇ）ネットワーク、符号分割多元接続（ＣＤＭＡ）ネットワーク、時分割多元接続（ＴＤＭＡ）ネットワーク、またはロング・ターム・エボリューション（ＬＴＥ）ネットワークのうちの少なくとも１つに接続する、Ｃ２６に記載のシステム。
［Ｃ２８］  前記ワイヤレス・ローカル・エリア・ネットワーク・インターフェースのための手段は、ＷｉＦｉＴＭネットワーク・インターフェースのための手段を備える、Ｃ２５に記載のシステム。
［Ｃ２９］  前記ワイヤレス・デバイス手段は、セルラ電話手段、スマート・フォン手段、ポータブル・コンピュータ手段、タブレット・デバイス手段、メディア・プレイヤー・デバイス手段、全地球測位システム（ＧＰＳ）デバイス手段、または携帯情報端末（ＰＤＡ）デバイス手段のうちの少なくとも１つを備える、Ｃ２５に記載のシステム。
［Ｃ３０］  前記局情報のセットは、前記ワイヤレス・デバイスに関連付けられた局（ＳＴＡ）情報を備える、Ｃ２５に記載のシステム。
［Ｃ３１］  前記局（ＳＴＡ）情報は、前記ワイヤレス・デバイス手段に関連付けられた媒体アクセス制御（ＭＡＣ）情報、前記ワイヤレス・デバイス手段に関連付けられたキー情報、または前記ワイヤレス・デバイス手段に関連付けられたインターネット・プロトコル（ＩＰ）アドレス情報のうちの少なくとも１つを備える、Ｃ３０に記載のシステム。
［Ｃ３２］  前記アクセス・ポイント情報のセットは、前記少なくとも１つのアクセス・ポイント手段に関連付けられた媒体アクセス制御（ＭＡＣ）情報、前記少なくとも１つのアクセス・ポイント手段に関連付けられたチャネル情報のセット、前記少なくとも１つのアクセス・ポイント手段に関連付けられたサービス・セット識別（ＳＳＩＤ）情報のセット、または前記少なくとも１つのアクセス・ポイント手段を通したデータ・リンク・アクセスのためのコスト情報のうちの少なくとも１つを備える、Ｃ２５に記載のシステム。
［Ｃ３３］  前記プロセッサ手段は、セキュリティ・キー情報のセットを前記ワイヤレス・デバイス手段および前記少なくとも１つのアクセス・ポイント手段に送信するようにさらに構成される、Ｃ２５に記載のシステム。
［Ｃ３４］  前記プロセッサ手段は、前記セキュリティ・キー情報のセットに基づいて前記ワイヤレス・デバイス手段と前記少なくとも１つのアクセス・ポイント手段との間の高速認証プロセスを開始するようにさらに構成される、Ｃ３３に記載のシステム。
［Ｃ３５］  前記ロケーション情報のセットは、全地球測位システム（ＧＰＳ）データ、基地局パイロット・データ、地理的セル識別子データ、セルラ・ネットワーク・データ、ドップラー効果データ、または信号強度データを経由して取り込まれたロケーション情報のうちの少なくとも１つを備える、Ｃ２５に記載のシステム。
［Ｃ３６］  前記ロケーション情報のセットを受信すること、アクセス・ポイント情報のセットを送信すること、または前記局情報のセットを送信することのうちの少なくとも１つは、前記ワイヤレス・デバイスとの安全な伝送リンクを通じて送信を開始することを備える、Ｃ２５に記載の方法。
［Ｃ３７］    コンピュータに、ワイヤレス・ワイド・エリア・ネットワーク・インターフェース経由でワイヤレス・デバイスのためのロケーション情報のセットを受信させるための少なくとも１つの命令と、
コンピュータに、前記ロケーション情報を使用してワイヤレス・ローカル・エリア・ネットワーク・インターフェース経由で前記ワイヤレス・デバイスの接続範囲内のアクセス・ポイントのセットを識別させるための少なくとも１つの命令と、
コンピュータに、前記ワイヤレス・ワイド・エリア・ネットワーク・インターフェース経由で前記アクセス・ポイントのセットに関連付けられたアクセス・ポイント情報のセットを前記ワイヤレス・デバイスに送信させるための少なくとも１つの命令と、
コンピュータに、前記ワイヤレス・デバイスに関連付けられた局情報のセットを前記ワイヤレス・デバイスの接続範囲内の前記アクセス・ポイントのセットにおける少なくとも１つのアクセス・ポイントに送信させるための少なくとも１つの命令と、
コンピュータに、前記アクセス・ポイント情報のセットおよび前記局情報のセットに基づいて、前記少なくとも１つのアクセス・ポイント経由で前記ワイヤレス・ワイド・エリア・ネットワーク・インターフェースから前記ワイヤレス・ローカル・エリア・ネットワーク・インターフェースへの前記ワイヤレス・デバイスのハンドオフを開始させるための少なくとも１つの命令と、を備える、コンピュータ可読媒体
を備える、コンピュータ・プログラム製品。
［Ｃ３８］  前記ワイヤレス・ワイド・エリア・ネットワーク・インターフェースは、セルラ・ネットワーク・インターフェースを備える、Ｃ３７に記載のコンピュータ・プログラム製品。
［Ｃ３９］  前記セルラ・ネットワーク・インターフェースは、第３世代（３Ｇ）ネットワーク、第４世代（４Ｇ）ネットワーク、符号分割多元接続（ＣＤＭＡ）ネットワーク、時分割多元接続（ＴＤＭＡ）ネットワーク、またはロング・ターム・エボリューション（ＬＴＥ）ネットワークのうちの少なくとも１つに接続するように構成される、Ｃ３８に記載のコンピュータ・プログラム製品。
［Ｃ４０］  前記ワイヤレス・ローカル・エリア・ネットワーク・インターフェースは、ＷｉＦｉＴＭネットワーク・インターフェースを備える、Ｃ３７に記載のコンピュータ・プログラム製品。
［Ｃ４１］  前記ワイヤレス・デバイスは、セルラ電話、スマート・フォン、ポータブル・コンピュータ、タブレット・デバイス、メディア・プレイヤー・デバイス、全地球測位システム（ＧＰＳ）デバイス、または携帯情報端末（ＰＤＡ）デバイスのうちの少なくとも１つを備える、Ｃ３７に記載のコンピュータ・プログラム製品。
［Ｃ４２］  前記局情報のセットは、前記ワイヤレス・デバイスに関連付けられた局（ＳＴＡ）情報を備える、Ｃ３７に記載のコンピュータ・プログラム製品。
［Ｃ４３］  前記局（ＳＴＡ）情報は、前記ワイヤレス・デバイスに関連付けられた媒体アクセス制御（ＭＡＣ）情報、前記ワイヤレス・デバイスに関連付けられたキー情報、または前記ワイヤレス・デバイスに関連付けられたインターネット・プロトコル（ＩＰ）アドレス情報のうちの少なくとも１つを備える、Ｃ４２に記載のコンピュータ・プログラム製品。
［Ｃ４４］  前記アクセス・ポイント情報のセットは、前記少なくとも１つのアクセス・ポイントに関連付けられた媒体アクセス制御（ＭＡＣ）情報、前記少なくとも１つのアクセス・ポイントに関連付けられたチャネル情報のセット、前記少なくとも１つのアクセス・ポイントに関連付けられたサービス・セット識別（ＳＳＩＤ）情報のセット、または前記少なくとも１つのアクセス・ポイントを通したデータ・リンク・アクセスのためのコスト情報のうちの少なくとも１つを備える、Ｃ３７に記載のコンピュータ・プログラム製品。
［Ｃ４５］  前記コンピュータ可読媒体は、コンピュータに、セキュリティ・キー情報のセットを前記ワイヤレス・デバイスおよび前記少なくとも１つのアクセス・ポイントに送信させるための少なくとも１つの命令をさらに備える、Ｃ３７に記載のコンピュータ・プログラム製品。
［Ｃ４６］  前記コンピュータ可読媒体は、コンピュータに、前記セキュリティ・キー情報のセットに基づいて前記ワイヤレス・デバイスと前記少なくとも１つのアクセス・ポイントとの間の高速認証プロセスを開始させるための少なくとも１つの命令を備える、Ｃ４５に記載のコンピュータ・プログラム製品。
［Ｃ４７］  前記ロケーション情報のセットは、全地球測位システム（ＧＰＳ）データ、基地局パイロット・データ、地理的セル識別子データ、セルラ・ネットワーク・データ、ドップラー効果データ、または信号強度データを経由して取り込まれたロケーション情報のうちの少なくとも１つを備える、Ｃ３７に記載のコンピュータ・プログラム製品。
［Ｃ４８］  前記ロケーション情報のセットを受信すること、アクセス・ポイント情報のセットを送信すること、または前記局情報のセットを送信することのうちの少なくとも１つは、前記ワイヤレス・デバイスとの安全な伝送リンクを通じて送信を開始することを備える、Ｃ３７に記載のコンピュータ・プログラム製品。
［Ｃ４９］  ワイヤレス・デバイス上のデータ接続を構成する方法であって、
ワイヤレス・ワイド・エリア・ネットワーク・インターフェース経由で前記ワイヤレス・デバイスのためのロケーション情報のセットをワイヤレス・ハンドオフ・ゲートウェイに送信することと、
ワイヤレス・ローカル・エリア・ネットワーク経由で前記ワイヤレス・デバイスの接続範囲内のアクセス・ポイントのセットに関連付けられたアクセス・ポイント情報のセットを、前記ワイヤレス・ハンドオフ・ゲートウェイから前記ワイヤレス・デバイスにおいて、受信することと、
前記ワイヤレス・デバイスに関連付けられた局情報のセットを前記ワイヤレス・ハンドオフ・ゲートウェイに送信することと、
前記ワイヤレス・ローカル・エリア・ネットワーク経由で前記ワイヤレス・デバイスのためのデータ接続を確立するために前記アクセス・ポイントのセットにおける少なくとも１つのアクセス・ポイントを識別することと、
前記アクセス・ポイントのセットにおける前記少なくとも１つのアクセス・ポイント経由で前記ワイヤレス・デバイスの前記データ接続を前記ワイヤレス・ワイド・エリア・ネットワーク・インターフェースからワイヤレス・ローカル・エリア・ネットワーク・インターフェースに遷移することと
を備える、方法。
［Ｃ５０］  前記ロケーション情報のセットを前記送信することは、前記ロケーション情報のセットを所定の間隔で送信すること、またはイベント・トリガ・ベースで前記ロケーション情報のセットを送信することのうちの少なくとも１つを備える、Ｃ４９に記載の方法。
［Ｃ５１］  前記ロケーション情報のセットは、全地球測位システム（ＧＰＳ）データ、基地局パイロット・データ、地理的セル識別子データ、セルラ・ネットワーク・データ、ドップラー効果データ、または信号強度データを経由して取り込まれたロケーション情報のうちの少なくとも１つを備える、Ｃ４９に記載の方法。
［Ｃ５２］  前記データ接続を前記遷移することは、前記アクセス・ポイント情報のセットおよび前記局情報のセットに基づいて前記少なくとも１つのアクセス・ポイントとの認証プロセスを実行することを備える、Ｃ４９に記載の方法。
［Ｃ５３］  前記認証プロセスは、高速認証プロセスを備える、Ｃ４９に記載の方法。
［Ｃ５４］  前記高速認証プロセスは、Ｏｔｗａｙ Ｒｅｅｓプロトコルまたは拡張認証プロトコル再認証（ＥＲＰ）プロトコルのうちの少なくとも１つを備える、Ｃ５３に記載の方法。
［Ｃ５５］  前記データ接続を前記遷移することは、前記少なくとも１つのアクセス・ポイントとの関連付けプロセスを実行することを備える、Ｃ４９に記載の方法。
［Ｃ５６］  前記関連付けプロセスは、アクティブ／パッシブ・スキャン・プロセスを備える、Ｃ５５に記載の方法。
［Ｃ５７］  ワイヤレス・デバイスであって、
ワイヤレス・ワイド・エリア・ネットワークへの第１のインターフェースと、
ワイヤレス・ローカル・エリア・ネットワークへの第２のインターフェースと、
前記第１のインターフェースおよび前記第２のインターフェースと通信するプロセッサと、を備え、前記プロセッサは、
ワイヤレス・ワイド・エリア・ネットワーク・インターフェース経由で前記ワイヤレス・デバイスのためのロケーション情報のセットをワイヤレス・ハンドオフ・ゲートウェイに送信し、
前記ワイヤレス・ローカル・エリア・ネットワーク経由で前記ワイヤレス・デバイスの接続範囲内のアクセス・ポイントのセットに関連付けられたアクセス・ポイント情報のセットを、前記ワイヤレス・ハンドオフ・ゲートウェイから前記ワイヤレス・デバイスにおいて、受信し、
前記ワイヤレス・デバイスに関連付けられた局情報のセットを前記ワイヤレス・ハンドオフ・ゲートウェイに送信し、
前記ワイヤレス・ローカル・エリア・ネットワーク経由で前記ワイヤレス・デバイスのためのデータ接続を確立するために前記アクセス・ポイントのセットにおける少なくとも１つのアクセス・ポイントを識別し、
前記アクセス・ポイントのセットにおける前記少なくとも１つのアクセス・ポイント経由で前記ワイヤレス・デバイスの前記データ接続を前記ワイヤレス・ワイド・エリア・ネットワーク・インターフェースからワイヤレス・ローカル・エリア・ネットワーク・インターフェースに遷移するように構成される、ワイヤレス・デバイス。
［Ｃ５８］  前記ロケーション情報のセットを前記送信することは、前記ロケーション情報のセットを所定の間隔で送信すること、またはイベント・トリガ・ベースで前記ロケーション情報のセットを送信することのうちの少なくとも１つを備える、Ｃ５７に記載のシステム。
［Ｃ５９］  前記ロケーション情報のセットは、全地球測位システム（ＧＰＳ）データ、基地局パイロット・データ、地理的セル識別子データ、セルラ・ネットワーク・データ、ドップラー効果データ、または信号強度データを経由して取り込まれたロケーション情報のうちの少なくとも１つを備える、Ｃ５７に記載のシステム。
［Ｃ６０］  前記データ接続を前記遷移することは、前記アクセス・ポイント情報のセットおよび前記局情報のセットに基づいて前記少なくとも１つのアクセス・ポイントとの認証プロセスを実行することを備える、Ｃ５７に記載のシステム。
［Ｃ６１］  前記認証プロセスは、高速認証プロセスを備える、Ｃ５７に記載のシステム。
［Ｃ６２］  前記高速認証プロセスは、Ｏｔｗａｙ Ｒｅｅｓプロトコルまたは拡張認証プロトコル再認証（ＥＲＰ）プロトコルのうちの少なくとも１つを備える、Ｃ６１に記載のシステム。
［Ｃ６３］  前記データ接続を前記遷移することは、前記少なくとも１つのアクセス・ポイントとの関連付けプロセスを実行することを備える、Ｃ５７に記載のシステム。
［Ｃ６４］  前記関連付けプロセスは、アクティブ／パッシブ・スキャン・プロセスを備える、Ｃ６３に記載のシステム。
［Ｃ６５］  ワイヤレス・デバイスであって、
ワイヤレス・ワイド・エリア・ネットワークへの第１のインターフェース手段と、
ワイヤレス・ローカル・エリア・ネットワークへの第２のインターフェース手段と、
前記第１のインターフェース手段および前記第２のインターフェース手段と通信するプロセッサ手段と、を備え、前記プロセッサ手段は、
ワイヤレス・ワイド・エリア・ネットワーク・インターフェース経由で前記ワイヤレス・デバイスのためのロケーション情報のセットをワイヤレス・ハンドオフ・ゲートウェイに送信し、
ワイヤレス・ローカル・エリア・ネットワーク経由で前記ワイヤレス・デバイスの接続範囲内のアクセス・ポイントのセットに関連付けられたアクセス・ポイント情報のセットを、前記ワイヤレス・ハンドオフ・ゲートウェイから前記ワイヤレス・デバイスにおいて、受信し、
前記ワイヤレス・デバイスに関連付けられた局情報のセットを前記ワイヤレス・ハンドオフ・ゲートウェイに送信し、
前記ワイヤレス・ローカル・エリア・ネットワーク経由で前記ワイヤレス・デバイスのためのデータ接続を確立するために前記アクセス・ポイントのセットにおける少なくとも１つのアクセス・ポイントを識別し、
前記アクセス・ポイントのセットにおける前記少なくとも１つのアクセス・ポイント経由で前記ワイヤレス・デバイスの前記データ接続を前記ワイヤレス・ワイド・エリア・ネットワーク・インターフェースからワイヤレス・ローカル・エリア・ネットワーク・インターフェースに遷移するように構成される、ワイヤレス・デバイス。
［Ｃ６６］  前記ロケーション情報のセットを前記送信することは、前記ロケーション情報のセットを所定の間隔で送信すること、またはイベント・トリガ・ベースで前記ロケーション情報のセットを送信することのうちの少なくとも１つを備える、Ｃ６５に記載のシステム。
［Ｃ６７］  前記ロケーション情報のセットは、全地球測位システム（ＧＰＳ）データ、基地局パイロット・データ、地理的セル識別子データ、セルラ・ネットワーク・データ、ドップラー効果データ、または信号強度データを経由して取り込まれたロケーション情報のうちの少なくとも１つを備える、Ｃ６５に記載のシステム。
［Ｃ６８］  前記データ接続を前記遷移することは、前記アクセス・ポイント情報のセットおよび前記局情報のセットに基づいて前記少なくとも１つのアクセス・ポイントとの認証プロセスを実行することを備える、Ｃ６５に記載のシステム。
［Ｃ６９］  前記認証プロセスは、高速認証プロセスを備える、Ｃ６５に記載のシステム。
［Ｃ７０］  前記高速認証プロセスは、Ｏｔｗａｙ Ｒｅｅｓプロトコルまたは拡張認証プロトコル再認証（ＥＲＰ）プロトコルのうちの少なくとも１つを備える、Ｃ６９に記載のシステム。
［Ｃ７１］  前記データ接続を前記遷移することは、前記少なくとも１つのアクセス・ポイントとの関連付けプロセスを実行することを備える、Ｃ６５に記載のシステム。
［Ｃ７２］  前記関連付けプロセスは、アクティブ／パッシブ・スキャン・プロセスを備える、Ｃ７１に記載のシステム。
［Ｃ７３］    コンピュータに、ワイヤレス・ワイド・エリア・ネットワーク・インターフェース経由でワイヤレス・デバイスのためのロケーション情報のセットをワイヤレス・ハンドオフ・ゲートウェイに送信させるための少なくとも１つの命令と、
コンピュータに、ワイヤレス・ローカル・エリア・ネットワーク経由で前記ワイヤレス・デバイスの接続範囲内のアクセス・ポイントのセットに関連付けられたアクセス・ポイント情報のセットを、前記ワイヤレス・ハンドオフ・ゲートウェイから前記ワイヤレス・デバイスにおいて、受信させるための少なくとも１つの命令と、
コンピュータに、前記ワイヤレス・デバイスに関連付けられた局情報のセットを前記ワイヤレス・ハンドオフ・ゲートウェイに送信させるための少なくとも１つの命令と、
コンピュータに、前記ワイヤレス・ローカル・エリア・ネットワーク経由で前記ワイヤレス・デバイスのためのデータ接続を確立するために前記アクセス・ポイントのセットにおける少なくとも１つのアクセス・ポイントを識別させるための少なくとも１つの命令と、
コンピュータに、前記アクセス・ポイントのセットにおける前記少なくとも１つのアクセス・ポイント経由で前記ワイヤレス・デバイスの前記データ接続を前記ワイヤレス・ワイド・エリア・ネットワーク・インターフェースからワイヤレス・ローカル・エリア・ネットワーク・インターフェースに遷移させるための少なくとも１つの命令と、を備える、コンピュータ可読媒体
を備える、コンピュータ・プログラム製品。
［Ｃ７４］  前記ロケーション情報のセットを前記送信することは、前記ロケーション情報のセットを所定の間隔で送信すること、またはイベント・トリガ・ベースで前記ロケーション情報のセットを送信することのうちの少なくとも１つを備える、Ｃ７３に記載のコンピュータ・プログラム製品。
［Ｃ７５］  前記ロケーション情報のセットは、全地球測位システム（ＧＰＳ）データ、基地局パイロット・データ、地理的セル識別子データ、セルラ・ネットワーク・データ、ドップラー効果データ、または信号強度データを経由して取り込まれたロケーション情報のうちの少なくとも１つを備える、Ｃ７３に記載のコンピュータ・プログラム製品。
［Ｃ７６］  コンピュータに、前記データ接続を前記遷移させるための前記少なくとも１つの命令は、コンピュータに、前記アクセス・ポイント情報のセットおよび前記局情報のセットに基づいて前記少なくとも１つのアクセス・ポイントとの認証プロセスを実行させるための少なくとも１つの命令を備える、Ｃ７３に記載のコンピュータ・プログラム製品。
［Ｃ７７］  前記認証プロセスは、高速認証プロセスを備える、Ｃ７３に記載のコンピュータ・プログラム製品。
［Ｃ７８］  前記高速認証プロセスは、Ｏｔｗａｙ Ｒｅｅｓプロトコルまたは拡張認証プロトコル再認証（ＥＲＰ）プロトコルのうちの少なくとも１つを備える、Ｃ７７に記載のコンピュータ・プログラム製品。
［Ｃ７９］  コンピュータに、前記データ接続を遷移させるための前記少なくとも１つの命令は、コンピュータに、前記少なくとも１つのアクセス・ポイントとの関連付けプロセスを実行させるための少なくとも１つの命令を備える、Ｃ７３に記載のコンピュータ・プログラム製品。
［Ｃ８０］  前記関連付けプロセスは、アクティブ／パッシブ・スキャン・プロセスを備える、Ｃ７９に記載のコンピュータ・プログラム製品。
［Ｃ８１］  ワイヤレス・デバイスとアクセス・ポイントを関連付ける方法であって、
アクセス・ポイント情報のセットを、前記アクセス・ポイントからワイヤレス・ハンドオフ・ゲートウェイに送信することと、
ワイヤレス・ワイド・エリア・ネットワーク・インターフェース経由で前記ワイヤレス・デバイスのためのロケーション情報のセットを、前記ワイヤレス・ハンドオフ・ゲートウェイから、受信することと、
前記アクセス・ポイントに関連付けられたアクセス・ポイント情報のセットを前記ワイヤレス・ハンドオフ・ゲートウェイに送信することと、
前記アクセス・ポイントにおける前記ワイヤレス・デバイスに関連付けられた局情報のセットを、前記ワイヤレス・ハンドオフ・ゲートウェイ経由で、受信することと、
前記アクセス・ポイント情報のセットおよび前記局情報のセットに基づいてワイヤレス・ローカル・エリア・ネットワーク経由で前記ワイヤレス・デバイスとのデータ接続を、前記アクセス・ポイントで、確立することと
を備える、方法。
［Ｃ８２］  前記ワイヤレス・ハンドオフ・ゲートウェイ経由で前記ワイヤレス・デバイスのためのロケーション情報のセットを受信することをさらに備える、Ｃ８０に記載の方法。
［Ｃ８３］  前記局情報のセットを前記受信することは、前記ロケーション情報のセットに基づいて、前記ワイヤレス・デバイスが前記アクセス・ポイントの範囲に接近している、または範囲内にある場合、前記局情報のセットを受信することを備える、Ｃ８０に記載の方法。
［Ｃ８４］  データ接続を前記確立することは、前記局情報のセットに基づいて前記アクセス・ポイントとの認証プロセスを実行することを備える、Ｃ８０記載の方法。
［Ｃ８５］  前記認証プロセスは、高速認証プロセスを備える、Ｃ８３に記載の方法。
［Ｃ８６］  前記高速認証プロセスは、Ｏｔｗａｙ Ｒｅｅｓプロトコルまたは拡張認証プロトコル再認証（ＥＲＰ）プロトコルのうちの少なくとも１つを備える、Ｃ８４に記載の方法。
［Ｃ８７］  前記データ接続を前記確立することは、少なくとも１つの前記アクセス・ポイントとの関連付けプロセスを実行することを備える、Ｃ８０に記載の方法。
［Ｃ８８］  前記関連付けプロセスは、アクティブ／パッシブ・スキャン・プロセスを備える、Ｃ８６に記載の方法。
［Ｃ８９］  前記データ接続は、インターネットへの接続を備える、Ｃ８０に記載の方法。
［Ｃ９０］  アクセス・ポイント・デバイスであって、
ワイヤレス・ワイド・エリア・ネットワークへの第１のインターフェースと、
ワイヤレス・ローカル・エリア・ネットワークへの第２のインターフェースと、
前記第１のインターフェースおよび前記第２のインターフェースと通信するプロセッサを備え、前記プロセッサは、
アクセス・ポイント情報のセットを、前記アクセス・ポイントからワイヤレス・ハンドオフ・ゲートウェイに送信し、
前記第１のインターフェース経由で前記ワイヤレス・デバイスのためのロケーション情報のセットを、前記ワイヤレス・ハンドオフ・ゲートウェイから、受信し、
前記アクセス・ポイントに関連付けられたアクセス・ポイント情報のセットを前記ワイヤレス・ハンドオフ・ゲートウェイに送信し、
前記ワイヤレス・デバイスに関連付けられた局情報のセットを、前記ワイヤレス・ハンドオフ・ゲートウェイ経由で、受信し、
前記アクセス・ポイント情報のセットおよび前記局情報のセットに基づいて前記ワイヤレス・ローカル・エリア・ネットワーク経由で前記ワイヤレス・デバイスとのデータ接続を確立するように構成された、デバイス。
［Ｃ９１］  前記プロセッサは、前記ワイヤレス・ハンドオフ・ゲートウェイ経由で前記ワイヤレス・デバイスのためのロケーション情報のセットを受信するようにさらに構成される、Ｃ８８に記載のデバイス。
［Ｃ９２］  前記局情報のセットを前記受信することは、前記ロケーション情報のセットに基づいて、前記ワイヤレス・デバイスが前記アクセス・ポイントの範囲に接近している、または範囲内にある場合、前記局情報のセットを受信することを備える、Ｃ８９に記載のデバイス。
［Ｃ９３］  データ接続を前記確立することは、前記局情報のセットに基づいて前記アクセス・ポイントとの認証プロセスを実行することを備える、Ｃ８８に記載のデバイス。
［Ｃ９４］  前記認証プロセスは、高速認証プロセスを備える、Ｃ９１に記載のデバイス。
［Ｃ９５］  前記高速認証プロセスは、Ｏｔｗａｙ Ｒｅｅｓプロトコルまたは拡張認証プロトコル再認証（ＥＲＰ）プロトコルのうちの少なくとも１つを備える、Ｃ９２に記載のデバイス。
［Ｃ９６］  前記データ接続を前記確立することは、少なくとも１つの前記アクセス・ポイントとの関連付けプロセスを実行することを備える、Ｃ８８に記載のデバイス。
［Ｃ９７］  前記関連付けプロセスは、アクティブ／パッシブ・スキャン・プロセスを備える、Ｃ９４に記載のデバイス。
［Ｃ９８］  前記データ接続は、インターネットへの接続を備える、Ｃ８８に記載のデバイス。
［Ｃ９９］  アクセス・ポイント・デバイスであって、
ワイヤレス・ワイド・エリア・ネットワークへの第１のインターフェース手段と、
ワイヤレス・ローカル・エリア・ネットワークへの第２のインターフェース手段と、
前記第１のインターフェース手段および前記第２のインターフェース手段と通信するプロセッサ手段を備え、前記プロセッサ手段は、
アクセス・ポイント情報のセットを、前記アクセス・ポイントからワイヤレス・ハンドオフ・ゲートウェイに送信し、
前記第１のインターフェース経由で前記ワイヤレス・デバイスのためのロケーション情報のセットを、前記ワイヤレス・ハンドオフ・ゲートウェイから、受信し、
前記アクセス・ポイントに関連付けられたアクセス・ポイント情報のセットを前記ワイヤレス・ハンドオフ・ゲートウェイに送信し、
前記ワイヤレス・デバイスに関連付けられた局情報のセットを、前記ワイヤレス・ハンドオフ・ゲートウェイ経由で、受信し、
前記アクセス・ポイント情報のセットおよび前記局情報のセットに基づいて前記ワイヤレス・ローカル・エリア・ネットワーク経由で前記ワイヤレス・デバイスとのデータ接続を確立するように構成される、デバイス。
［Ｃ１００］  前記プロセッサは、前記ワイヤレス・ハンドオフ・ゲートウェイ経由で前記ワイヤレス・デバイスのためのロケーション情報のセットを受信するようにさらに構成される、Ｃ８８に記載のデバイス。
［Ｃ１０１］  前記局情報のセットを前記受信することは、前記ロケーション情報のセットに基づいて、前記ワイヤレス・デバイスが前記アクセス・ポイントの範囲に接近している、または範囲内にある場合、前記局情報のセットを受信することを備える、Ｃ８９に記載のデバイス。
［Ｃ１０２］  データ接続を前記確立することは、前記局情報のセットに基づいて前記アクセス・ポイントとの認証プロセスを実行することを備える、Ｃ８８に記載のデバイス。
［Ｃ１０３］  前記認証プロセスは、高速認証プロセスを備える、Ｃ９１に記載のデバイス。
［Ｃ１０４］  前記高速認証プロセスは、Ｏｔｗａｙ Ｒｅｅｓプロトコルまたは拡張認証プロトコル再認証（ＥＲＰ）プロトコルのうちの少なくとも１つを備える、Ｃ９２に記載のデバイス。
［Ｃ１０５］  前記データ接続を前記確立することは、少なくとも１つの前記アクセス・ポイントとの関連付けプロセスを実行することを備える、Ｃ８８に記載のデバイス。
［Ｃ１０６］  前記関連付けプロセスは、アクティブ／パッシブ・スキャン・プロセスを備える、Ｃ９４に記載のデバイス。
［Ｃ１０７］  前記データ接続は、インターネットへの接続を備える、Ｃ８８に記載のデバイス。
［Ｃ１０８］    コンピュータに、アクセス・ポイント情報のセットを、前記アクセス・ポイントからワイヤレス・ハンドオフ・ゲートウェイに送信させるための少なくとも１つの命令と、
コンピュータに、ワイヤレス・ワイド・エリア・ネットワーク・インターフェース経由で前記ワイヤレス・デバイスのためのロケーション情報のセットを、前記ワイヤレス・ハンドオフ・ゲートウェイから、受信させるための少なくとも１つの命令と、
コンピュータに、前記アクセス・ポイントに関連付けられたアクセス・ポイント情報のセットを前記ワイヤレス・ハンドオフ・ゲートウェイに送信させるための少なくとも１つの命令と、
コンピュータに、前記アクセス・ポイントにおける前記ワイヤレス・デバイスに関連付けられた局情報のセットを、前記ワイヤレス・ハンドオフ・ゲートウェイ経由で、受信させるための少なくとも１つの命令と、
コンピュータに、前記アクセス・ポイント情報のセットおよび前記局情報のセットに基づいてワイヤレス・ローカル・エリア・ネットワーク経由で前記ワイヤレス・デバイスとのデータ接続を、前記アクセス・ポイントで、確立させるための少なくとも１つの命令と、を備える、コンピュータ可読媒体
を備える、コンピュータ・プログラム製品。
［Ｃ１０９］  コンピュータに、前記ワイヤレス・ハンドオフ・ゲートウェイ経由で前記ワイヤレス・デバイスのためのロケーション情報のセットを受信させるための少なくとも１つの命令をさらに備える、Ｃ１０７に記載のコンピュータ・プログラム製品。
［Ｃ１１０］  前記局情報のセットを前記受信することは、前記ロケーション情報のセットに基づいて、前記ワイヤレス・デバイスが前記アクセス・ポイントの範囲に接近している、または範囲内にある場合、前記局情報のセットを受信することを備える、Ｃ１０８に記載のコンピュータ・プログラム製品。
［Ｃ１１１］  データ接続を前記確立することは、前記局情報のセットに基づいて前記アクセス・ポイントとの認証プロセスを実行することを備える、Ｃ１０７に記載のコンピュータ・プログラム製品。
［Ｃ１１２］  前記認証プロセスは、高速認証プロセスを備える、Ｃ１１０に記載のコンピュータ・プログラム製品。
［Ｃ１１３］  前記高速認証プロセスは、Ｏｔｗａｙ Ｒｅｅｓプロトコルまたは拡張認証プロトコル再認証（ＥＲＰ）プロトコルのうちの少なくとも１つを備える、Ｃ１１１に記載のコンピュータ・プログラム製品。
［Ｃ１１４］  前記データ接続を前記確立することは、少なくとも１つの前記アクセス・ポイントとの関連付けプロセスを実行することを備える、Ｃ１０７に記載のコンピュータ・プログラム製品。
［Ｃ１１５］  前記関連付けプロセスは、アクティブ／パッシブ・スキャン・プロセスを備える、Ｃ１１３に記載のコンピュータ・プログラム製品。
［Ｃ１１６］  前記データ接続は、インターネットへの接続を備える、Ｃ１０７に記載のコンピュータ・プログラム製品。